(57)【要約】【課題】日本髪かつらを被着したときの違和感を少なくして被着感触を向上させると共に、被着後にずれが生じないようにする。【解決手段】  前枠１と、その前枠１の両側部から後方へ延設した一対の延設部２と、その一対の延設部２に両端部が回動可能に取り付けられた後枠３と、前枠１の最上部に前端部４ａが固着されて後方に湾曲して延びる帯片状の上枠（渡り金）４と、その上枠４の後端部４ｂと一対の延設部２とを連結する部材５とを備えている。その上枠４の裏面に、ゴム、軟質樹脂、ネット、布、不織布、紙のいずれか、あるいはこれらの２種類以上の組み合わせからなる滑り止め層１０を設けた。【選択図】        図１
0003129347.tif 000002
【実用新案登録請求の範囲】
【請求項１】
前枠と、該前枠の両側部から後方へ延設した一対の延設部と、該一対の延設部に両端部が回動可能に取り付けられた後枠と、前記前枠の最上部に一端が固着されて後方に湾曲して延びる帯片状の上枠と、該上枠の後端部と前記一対の延設部とを連結する部材とを備えた日本髪かつら用基枠において、
前記上枠の裏面に、ゴム、軟質樹脂、ネット、布、不織布、紙のいずれか、あるいはこれらの２種類以上の組み合わせからなる滑り止め層を設けたことを特徴とする日本髪かつら用基枠。
【請求項２】
請求項１に記載の日本髪かつら用基枠において、前記前枠及び前記延設部の一方又は両方の裏面にも、ゴム、軟質樹脂、ネット、布、不織布、紙のいずれか、あるいはこれらの２種類以上の組み合わせからなる滑り止め層を設けたことを特徴とする日本髪かつら用基枠。
【請求項３】
前記滑り止め層の表面が凹凸形状をなしていることを特徴とする請求項１又は２に記載の日本髪かつら用基枠。
【請求項４】
前記滑り止め層が、ゴム又は軟質樹脂によってネット状に形成されていることを特徴とする請求項１から３のいずれか一項に記載の日本髪かつら用基枠。
【請求項５】
請求項１から４のいずれか一項に記載の日本髪かつら用基枠に、前髪、鬢、髱、および髷を取り付けてなる日本髪かつら。
【考案の詳細な説明】
【技術分野】
【０００１】
この考案は、台金、台枠、あるいはかつら枠とも称される日本髪かつら用基枠、およびその基枠を使用した日本髪かつらに関する。
【背景技術】
【０００２】
従来、結婚式において花嫁が頭部に被着する高島田等の日本髪かつらは、頭部に沿う形状に形成した日本髪かつら用基枠（台金、台枠、又はかつら枠とも称す）に、前髪（まえがみ）、左右の鬢（びん）、後部上方の髷（まげ）、その下から襟首近くまで垂れ下がる髱（たぼ）等を取り付けることにより構成されている。
【０００３】
このような日本髪かつらの髪の各部を支える重要な部材である基枠は、例えば特許文献１に記載されているように、前枠の両側部から後方へ延設した一対の延設部に、後枠（たぼ金とも称す）の両端部を回動可能に取り付け、前枠の最上部に帯片状の上枠（渡り金とも称す）の一端を固着して後方に湾曲して延設し、その上枠の後端部と一対の延設部とをワイヤ又は帯板（輪金とも称す）で連結して構成されている。これらはすべて、アルミニウム等の軽金属で形成されている。
【特許文献１】特公平７−９１６８１号公報
【０００４】
また、日本髪かつらを花嫁の頭に被着させる際に、無理なく容易に被着させられるように、髱（たぼ）を支える後枠が、前髪等を支える前枠に対して、後上方に回動すると共に下方へスライドするように取り付けられ、手を離すと元の状態に戻るようにスプリングによって付勢されている。
さらに、このような基枠を使用した日本髪かつらをサイズを変えて何種類も用意しておき、被着者の頭の大きさや形状に合わせて最適なサイズのものを使用できるようにしている。
【考案の開示】
【考案が解決しようとする課題】
【０００５】
しかしながら、このような従来の日本髪かつらは、上述したように被着者の頭髪に直接触れる基枠が全てアルミニウム等の軽金属製であり、前枠とその一対の延設部、上枠およびその後端部と一対の延設部とを連結するワイヤ又は帯板（輪金）は一体的に固定されている。そのため、被着者の頭髪を下地処理した頭部に最も適したサイズのものを選んでも、その頭部に対して基枠が少し小さいと被着時に圧迫感が生じ、少し大きいと被着中に初めの最適な被着状態からずれが生じやすいという問題があった。また、軽金属製の基枠の内面が被着者の頭髪に直接触れるため、被着時に若干違和感があるという問題もあった。
【０００６】
前述の特許文献１に記載されている日本髪かつら用基枠では、前枠の延設部である両側頭部と上枠の後端部との間にワイヤを後方側に湾曲させて掛け渡し、そのワイヤに、木綿や樹脂等による糸状部材を網込んで形成したネットを取り付けて、それを両側頭部の間に掛け渡し、かつらを被った際にそのネットの内側の部分が着用者の後頭部に接するようにして、被着感触を向上させると共にずれも防止するようにしているが、まだ不十分であった。
【０００７】
この考案は、上記のような問題を解決するためになされたものであり、日本髪かつらを被着したときの違和感を少なくして被着感触を向上させると共に、被着後にずれが生じないようにすることを目的とする。それによって、結婚式において花嫁が日本髪かつらを着用したくなるようにすることも目的とする。
【課題を解決するための手段】
【０００８】
この考案は上記の目的を達成するため、前枠と、その前枠の両側部から後方へ延設した一対の延設部と、その一対の延設部に両端部が回動可能に取り付けられた後枠と、上記前枠の最上部に一端が固着されて後方に湾曲して延びる帯片状の上枠と、その上枠の後端部と上記一対の延設部とを連結する部材とを備えた日本髪かつら用基枠において、上記上枠の裏面に、ゴム、軟質樹脂、ネット、布、不織布、紙のいずれか、あるいはこれらの２種類以上の組み合わせからなる滑り止め層を設けたことを特徴とする日本髪かつら用基枠を提供する。
【０００９】
上記前枠及び上記延設部の一方又は両方の裏面にも、ゴム、軟質樹脂、ネット、布、不織布、紙のいずれか、あるいはこれらの２種類以上の組み合わせからなる滑り止め層を設けるとなをよい。
そした、上記滑り止め層の表面は凹凸形状をなしているのが望ましい。
特に、上記滑り止め層をゴム又は軟質樹脂によってネット状に形成するとよい。
また、これらの日本髪かつら用基枠に、前髪、鬢、髱、および髷を取り付けてなる日本髪かつらも提供する。
【考案の効果】
【００１０】
この考案による日本髪かつら用基枠、およびそれを使用した日本髪かつらによれば、上枠の裏面（内面）にゴム、軟質樹脂、ネット、布、不織布、紙のいずれか、あるいはこれらの２種類以上の組み合わせからなる滑り止め層を設けたので、花嫁等の被着者が日本髪かつらを被着したときに最も重さが加わる基枠の上部内面である上枠の裏面が、被着者の頭髪に直接触れず、柔軟性のある滑り止め層によって緩衝されるので、違和感が少なくなり、被着感触が向上する。
【００１１】
また、被着者の頭髪を下地処理した頭部に対して日本髪かつらの基枠のサイズが若干大きくても、最も重さが加わる上枠の裏面に軽金属製の上枠より摩擦係数が大きい滑り止め層が設けられているので、日本髪かつらが被着後にずれるおそれがなくなる。
さらに、前枠及びその延設部の一方又は両方の裏面にも同様な滑り止め層を設ければ、日本髪かつらの被着時の感触が一層よくなるとともに、被着後のずれを防止する効果も一層高まる。
【考案を実施するための最良の形態】
【００１２】
以下、この考案を実施するための最良の形態を図面に基づいて説明する。
図１はこの考案による日本髪かつら用基枠の一実施形態を示す側面図、図２はその正面図である。
この日本髪かつら用基枠（台枠）は、前枠１と、その前枠１の両側部から後方へ延設した一対の延設部２と、その一対の延設部２に両端部が回動可能に取り付けられた後枠３と、前枠１の最上部に前端部４ａが固着されて後方に湾曲して延びる帯片状の上枠（渡り金）４と、その上枠４の後端部４ｂと一対の延設部２とを連結する部材である輪金（わがね）５とを備えている。その輪金５は、前枠１の各延設部２の上縁部に沿ってワイヤを補強材として巻き込み、その巻込部２ｂの後端からワイヤを露出させ、後方側に湾曲させて上枠４の後端部４ｂとの間に掛け渡して構成している。
【００１３】
その前枠１及びその延設部２、後枠３、上枠４、および輪金５は、いずれもアルミニウム等の軽金属板によって形成されている。しかし、輪金５はワイヤに限らず、バンド状の部材であってもよいし、軽金属製以外の部材によって上枠４の後端部４ｂと延設部２とを連結してもよい。
前枠１には、上部に前額当て１ａが、両側下部にもみあげ当て１ｂが形成されており、その前枠１の全体の後縁に沿って補強用のワイヤＷを這わせており、前額当て１ａ上ともみあげ当て１ｂ上でそのワイヤＷを固定している。
【００１４】
また、一対の各延設部２の後枠３の両端部３ａに対応する位置に、支点部材である段付ピン６を固設し、その段付ピン６の小径部に、後枠３の両端部３ａを略直角に切り欠いて形成したピンスライド部３ｂを当接（係合）させている。
また、その段付きピン６から図１で下方に所定の距離だけ離間させて、後枠３の矢示Ａ方向への回動時における移動方向を規制するガイド部材である段付きピン７を各延設部２に固設し、その段付ピン７に対応させて後枠３の両端部３ａにガイド用長孔３ｃをピンスライド部３ｂの面に長孔方向が略直角になるように形成している。
【００１５】
そして、そのガイド用長孔３ｃ内に段付ピン７の小径部を移動自在に嵌入させ、後枠３を後上方（矢示Ａ方向）へ回動させた時に、その回動がガイド用長孔３ｃ内に嵌入している段付ピン７に規制されながら行われ、後枠３の回動支点が移動して、後枠３が下方に移動するようになっている。
さらに、前枠１の各延設部２と後枠３の両端部３ａとの間に、後枠３を図１で左旋方向及び上方へ付勢するコイルスプリング８をそれぞれ取付け、後枠３がフリー状態にあるときに、図１に示す回動位置（下端の首筋当接部３ｄが最も前枠２側に寄る位置）になるようにしている。
【００１６】
このように、後枠３が前枠１に対して回動及びスライド移動するようにした基枠を使用した日本髪かつらは、それを被着者の頭部に被せたり、外したりする際に、かつらの下側の開放された入口部分をより広げることができるので被せ易い。そして、その入口部分を広げるための動作は１つの回動動作だけでよいので、操作が非常に簡単である。そして、手を離すとコイルスプリング８の付勢力によって後枠３が自動的に被着者の後頭部に最もフィットした位置に戻る。
【００１７】
さらに、この日本髪かつら用基枠においては、帯片状の上枠４の裏面に、ゴム、軟質樹脂、ネット（網）、布、不織布、紙のいずれか、あるいはこれらの２種類以上の組み合わせからなる滑り止め層１０を設けている。図示の例では、柔軟性のあるゴム又は軟質樹脂によってネット状に形成された滑り止め層１０を接着して設けている。したがって、その滑り止め層１０の表面は細かい凹凸形状をなしており、摩擦係数を高めている。その他の材料で滑り止め層１０を形成する場合も、その表面を細かい凹凸形状にするのが望ましい。この滑り止め層１０は、軽金属板からなる上枠４に比べて、柔軟性があり摩擦係数が充分大きいことが望ましい。
【００１８】
さらに、この実施形態では、前枠１及び各延設部２の裏面にも、ネット（網）による滑り止め層１１を設けている。この滑り止め層１１も上枠４の裏面に設けた滑り止め層１０と同様に、ゴム、軟質樹脂、ネット（網）、布、不織布、紙のいずれか、あるいはこれらの２種類以上の組み合わせによって形成することができ、その表面が凹凸形状をなすのが望ましい。
なお、この滑り止め層１１を前枠１又は各延設部２のいずれか一方のみに設けるようにしてもよい。
【００１９】
次に、このように構成した日本髪かつら用基台を使用した日本髪かつらの一実施形態を図３によって説明する。図３はこの考案による日本髪かつらの一実施形態である高島田の日本髪かつらを女性の頭部に被着させた状態で示す側面図である。
この日本髪かつらは、図１及び図２に示した日本髪かつら用基枠の外側の前枠１の前額当て１ａ上である前方頂部（図３では左上部）に前髪１２を、左右のもみあげ当て１ｂに各鬢（びん）１３を、上枠４上の後方頂部に根１４ａ及び下部１４ｃを含む髷（まげ）１４を、後枠（たぼ金）３に髱（たぼ）１６をそれぞれ取り付けることによって形成している。
【００２０】
このように基枠に取り付ける日本髪の各構成部分である前髪１２、鬢１３、髷１４、および髱１６は、それぞれパーツとしてユニット化されており、容易に組み付けることができる。この点に関しては既に公知であるので詳細な説明は省略する。
花嫁用のかつらの場合は、このように完成した高島田のかつらの髷にはね元結を結び、その前に飾り櫛を差し、前髪１２に一対の前差しを、髷１４の根１４ａに中差しを、髱１６に一対の後指しを差すなどして、笄類や髪飾りなどで美しく飾る。
しかし、この発明による日本髪かつらは、高島田に限るものではなく、他の髪型の日本髪かつらにも適用できることは言うまでもない。
【００２１】
このように構成した日本髪かつら用基枠及びそれを使用して作製した日本髪かつらは、上枠４の裏面（内面）にゴム、軟質樹脂、ネット、布、不織布、紙のいずれか、あるいはこれらの２種類以上の組み合わせからなる滑り止め層１０を設けたので、花嫁等の被着者が日本髪かつらを被着したときに最も重さが加わる基枠の上部内面である上枠４の裏面が、被着者の頭髪に直接触れず、柔軟性のある滑り止め層１０によって緩衝されるので、違和感が少なくなり、被着感触が向上する。
【００２２】
また、被着者の頭髪を下地処理した頭部に対して日本髪かつらの基枠のサイズが若干大きくても、最も重さが加わる上枠４の裏面に軽金属製の上枠４より摩擦係数が大きい滑り止め層１０が設けられているので、日本髪かつらが被着後にずれるおそれがなくなる。
さらに、前枠１及びその延設部２の一方又は両方の裏面にも同様な滑り止め層１１を設ければ、日本髪かつらの被着時の感触が一層よくなるとともに、被着後のずれを防止する効果も一層高まる。
【産業上の利用可能性】
【００２３】
この考案による日本髪かつら用基枠、及びそれを使用した日本髪かつらは、結婚式場などで使用する花嫁用の日本髪かつらをはじめ、舞台演劇や映画、テレビドラマの時代劇などの出演者が被着する日本髪かつらなどにも利用可能である。
【図面の簡単な説明】
【００２４】
【図１】この考案による日本髪かつら用基枠の一実施形態を示す側面図である。
【図２】同じくその正面図である。
【図３】この考案による日本髪かつらを女性の頭部に被着させた状態で示す側面図である。
【符号の説明】
【００２５】
１：前枠    ２：延設部    ３：後枠    ４：上枠    ５：輪金（わがね）
６，７：段付ピン    ８：コイルスプリング    ９：止め具    １０，１１：滑り止め層
１２：前髪    １３：鬢    １４：髷    １６：髱
【図１】
0003129347.tif 000003
【図２】
0003129347.tif 000004
【図３】
0003129347.tif 000005